(57)【要約】【課題】製造コストを高くせずに、各チャンネルのリアルタイムの映像信号を一覧表示することが可能な映像表示装置を提供すること。【解決手段】  映像信号を受信するための受信チューナを有する外部機器から、当該受信チューナにより受信された映像信号を取得する外部チューナ映像受信部と、映像信号を受信するための内部受信チューナと、上記外部チューナ映像受信部にチャンネル毎の映像信号を受信させる映像制御部と、上記外部チューナ映像受信部によりリアルタイムで受信された映像信号、及び上記内部受信チューナにより受信された映像信号を同時に画面上に表示させる表示制御部と、を備える、映像表示装置。【選択図】図７
2010130219.tif 000002
【特許請求の範囲】
【請求項１】
映像信号を受信するための受信チューナを有する外部機器から、当該受信チューナにより受信された映像信号を取得する外部チューナ映像受信部と、
映像信号を受信するための内部受信チューナと、
前記外部チューナ映像受信部にチャンネル毎の映像信号を受信させる映像制御部と、
前記外部チューナ映像受信部によりリアルタイムで受信された映像信号、及び前記内部受信チューナにより受信された映像信号を同時に画面上に表示させる表示制御部と、
を備える、映像表示装置。
【請求項２】
前記外部チューナ映像受信部によりリアルタイムで受信された映像信号、及び前記内部受信チューナにより受信された映像信号が、チャンネル選択用のオブジェクトとして画面上に表示される、請求項１に記載の映像表示装置。
【請求項３】
前記映像制御部が、前記外部機器から映像信号を受信することが可能か否かを確認する映像受信制御情報を送信し、前記外部機器から映像信号を受信することが可能であるという情報を受信してから、前記チャンネル毎の映像信号を受信させる、請求項２に記載の映像表示装置。
【請求項４】
前記映像制御部が、前記外部機器に電源が入力されているか否かについての電源情報を当該外部機器より受信し、当該外部機器の電源が入力されていないという電源情報を受信した場合には、前記映像制御部は、前記外部機器に前記電源を入力させる、請求項３に記載の映像表示装置。
【請求項５】
前記外部機器との間で送受信速度が低下した場合に、前記映像制御部は前記外部チューナ映像受信部により受信する映像信号のフレーム数を減少させる、請求項４に記載の映像表示装置。
【請求項６】
映像信号を受信するための受信チューナを有する外部機器から、当該受信チューナにより受信された映像信号を受信する外部チューナ映像受信部と、
映像信号を受信するための内部受信チューナと、
前記外部チューナ映像受信部にチャンネル毎の映像信号を受信させる映像制御部と、
前記外部チューナ映像受信部によりリアルタイムで受信された映像信号、及び前記内部受信チューナにより受信された映像信号を同時に画面上に表示させる表示制御部と、
を備える映像表示装置と、
前記映像制御部から映像信号に関する映像情報を受信する制御部と、
前記外部チューナ映像受信部に映像信号を送信する映像送信部と、
を備える前記外部機器と、
を有する、映像表示システム。
【請求項７】
前記制御部は、前記映像制御部から映像情報を受信した場合に、前記内部受信チューナが受信したチャンネルの映像信号とは異なるチャンネルの映像信号を映像送信部が外部チューナ映像取得部に送信する、請求項６に記載の映像表示システム。
【請求項８】
前記映像表示装置は、複数の外部機器から互いに異なる映像信号を受信する、請求項７に記載の映像表示システム。
【請求項９】
映像信号を受信するための受信チューナを有する外部機器から、当該受信チューナにより受信された映像信号を受信する外部チューナ映像受信ステップと、
前記外部映像受信部にチャンネル毎の映像信号を取得させる映像制御ステップと、
前記外部チューナ映像受信ステップによりリアルタイムで受診された映像信号、及び映像信号を受信するための内部受信チューナにより受信された映像信号を同時に画面上に表示させる表示制御ステップと、
を含む、映像表示方法。
【発明の詳細な説明】
【技術分野】
【０００１】
本発明は、映像表示装置、映像表示システム、及び映像表示方法に関する。
【背景技術】
【０００２】
近年、テレビジョン受像機などの映像表示装置は多機能化している。そのため、ユーザは、映像表示装置に搭載された様々な機能を用いて多様な情報を得ることができる。映像表示装置に搭載される機能としては、映像表示装置の画面上に番組表が表示される機能が例として挙げられる。例えば、下記の特許文献１〜５には、視聴可能な各チャンネルの映像に関する文字情報を一覧表示する技術が開示されている。
【０００３】
また、下記の特許文献６〜８には、視聴可能な各チャンネルの映像をアイコンとして表示する技術が開示されている。
【０００４】
【特許文献１】特開平１１−１８７３２９号公報
【特許文献２】特開平１１−２６６４０８号公報
【特許文献３】特開２００３−９０１３号公報
【特許文献４】特開２００６−１０８９２９号公報
【特許文献５】特開２００６−２４５７０３号公報
【特許文献６】特開２００１−３６８３６号公報
【特許文献７】特開２００２−４４５５６号公報
【特許文献８】特開２００１−６１１１６号公報
【発明の開示】
【発明が解決しようとする課題】
【０００５】
しかしながら、従来の手法では、視聴可能な複数のチャンネルの映像を一覧表示し、各チャンネルで放送されているリアルタイムの動画を表示することは困難であった。例えば、複数のチューナが映像表示装置に搭載されれば、一覧表示においてリアルタイムの動画の情報を表示することはできる。しかしながら、そのような映像表示装置は、製造コストが非常に高い。
【０００６】
そこで、本発明は、上記問題に鑑みてなされたものであり、本発明の目的とするところは、製造コストを高くせずに、各チャンネルのリアルタイムの映像信号を一覧表示することが可能な映像表示装置を提供することにある。
【課題を解決するための手段】
【０００７】
上記課題を解決するために、本発明のある観点によれば、映像信号を受信するための受信チューナを有する外部機器から、当該受信チューナにより受信された映像信号を取得する外部チューナ映像受信部と、映像信号を受信するための内部受信チューナと、上記外部チューナ映像受信部にチャンネル毎の映像信号を受信させる映像制御部と、上記外部チューナ映像受信部によりリアルタイムで受信された映像信号、及び上記内部受信チューナにより受信された映像信号を同時に画面上に表示させる表示制御部と、を備える、映像表示装置が提供される。
【０００８】
また、上記映像表示装置は、上記外部チューナ映像受信部によりリアルタイムで受信された映像信号、及び上記内部受信チューナにより受信された映像信号が、チャンネル選択用のオブジェクトとして画面上に表示されてもよい。
【０００９】
また、上記映像表示装置は、上記映像制御部が、映像信号を送信させる制御部を有する上記外部機器から映像信号を受信することが可能か否かを確認する映像受信制御情報を送信してもよい。この場合、上記映像制御部は、上記外部機器から上記映像信号を受信することが可能であるという情報を受信してから、チャンネル毎の映像信号を受信させる。
【００１０】
また、上記映像表示装置は、上記映像制御部が、上記外部機器に電源が入力されているか否かについての電源情報を当該外部機器より受信してもよい。この場合、当該外部機器の電源が入力されていないという電源情報を受信した場合には、上記映像制御部は、上記外部機器に上記電源を入力させる。
【００１１】
また、上記映像表示装置は、上記外部機器との間で送受信速度が低下した場合に、上記映像制御部は上記外部チューナ映像受信部により取得する映像信号のフレーム数を減少させてもよい。
【００１２】
また、上記課題を解決するために、本発明の別の観点によれば、映像信号を受信するための受信チューナを有する外部機器から、当該受信チューナにより受信された映像信号を受信する外部チューナ映像受信部と、映像信号を受信するための内部受信チューナと、上記外部チューナ映像受信部にチャンネル毎の映像信号を受信させる映像制御部と、上記外部チューナ映像受信部によりリアルタイムで受信された映像信号、及び上記内部受信チューナにより受信された映像信号を同時に画面上に表示させる表示制御部と、を備える、映像表示装置と、上記映像制御部から映像信号に関する映像情報を受信する制御部と、上記外部チューナ映像受信部に映像信号を送信する映像送信部と、をさらに備える、上記外部機器と、を有する、映像表示システムが提供される。
【００１３】
また、上記映像表示システムは、上記制御部は、上記映像制御部から映像情報を受信した場合に、上記内部受信チューナが受信したチャンネルの映像信号とは異なるチャンネルの映像信号を映像送信部が外部チューナ映像取得部に送信してもよい。
【００１４】
また、上記映像表示システムは、上記映像表示装置が、少なくとも第一の外部機器と第二の外部機器を含む複数の外部機器から互いに異なる映像信号を受信することが可能であってよい。
【００１５】
また、上記課題を解決するために、本発明の別の観点によれば、映像信号を受信するための受信チューナを有する外部機器から、当該受信チューナにより受信された映像信号を受信する外部チューナ映像受信ステップと、上記外部映像受信部にチャンネル毎の映像信号を取得させる映像制御ステップと、上記外部チューナ映像受信ステップによりリアルタイムで受診された映像信号、及び映像信号を受信するための内部受信チューナにより受信された映像信号を同時に画面上に表示させる表示制御ステップと、を備える、映像表示方法が提供される。
【００１６】
また、上記課題を解決するために、本発明の別の観点によれば、上記の映像表示装置が有する機能をコンピュータに実現させるためのプログラムが提供されうる。さらに、当該プログラムが記録されたコンピュータにより読み取り可能な記録媒体が提供されうる。
【発明の効果】
【００１７】
以上説明したように本発明によれば、外部機器のチューナを利用して外部機器から映像信号を取得することで、リアルタイムで同時に複数の映像信号を映像表示装置の画面上に一覧表示することが可能になる。その結果、複数のチューナを有することなく、コストがかかっていない映像表示装置において、ユーザは一覧表示された映像信号を視聴でき、チャンネル毎の放送されている番組内容の詳細を把握することができる。
【発明を実施するための最良の形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
［説明の流れについて］
まず、図１を参照しながら、本発明の実施形態に係る技術を適用可能な電子機器システムのシステム構成例について説明する。次いで、図２を参照しながら、上記の電子機器システムに含まれるリモートコントローラのキー構成例について説明する。次いで、図３を参照しながら、同実施形態に係るデジタルテレビ受像機の機能を実現することが可能なハードウェア構成例について説明する。
【００２０】
次いで、図４を参照しながら、本発明の一実施形態に係る映像表示装置の機能構成について説明する。次いで、図５〜図６を参照しながら、本発明の一実施形態に係る映像表示装置の機能構成について説明する。次いで、図７〜図１２を参照しながら、本発明の一実施形態にかかる映像表示方法の応用例について説明する。最後に、同実施形態の技術的思想について纏め、当該技術的思想から得られる作用効果について簡単に説明する。
【００２１】
１．電子機器システムのシステム構成例
２．リモートコントローラのキーの構成例
３．映像表示装置のハードウェア構成例
４．映像表示装置の機能構成
５．映像表示方法の処理フロー
６．映像表示方法の応用例
７．まとめ
【００２２】
［１．電子機器システムの構成について］
まず、図１を参照しながら、本発明の一実施形態に係る電子機器システム１１０のシステム構成について説明する。図１は、同実施形態に係る電子機器システム１１０のシステム構成例を示す説明図である。
【００２３】
図１に示すように、電子機器システム１１０は、主に、パラボラアンテナ１００と、地上デジタルアンテナ１０２と、地上アナログアンテナ１０４と、デジタルテレビジョン受像機１０６とを有する。
【００２４】
また、図１に例示したデジタルテレビジョン受像機１０６には、アナログ放送受信機能、及びデジタル放送受信機能が搭載されている。さらに、デジタルテレビジョン受像機１０６には、地上波デジタル放送の自動チャンネル設定機能、及びメッセージ表示機能が搭載されている。そして、デジタルテレビジョン受像機１０６には、操作手段としてリモートコントローラ１０８が設けられている。さらに、デジタルテレビ受像機１０６には、リモートコントローラ１０８から射出された赤外線信号ＩＲを受信するための赤外線受信部１１６が設けられている。なお、デジタルテレビジョン受像機１０６、及びリモートコントローラ１０８を纏めて映像表示装置１１２と呼ぶ場合がある。
【００２５】
また、電子機器システム１１０は、地上波放送システム、及びデジタル衛星放送システムを構成している。例えば、パラボラアンテナ１００で受信された受信信号ＲＳはデジタルテレビジョン受像機１０６に入力される。同様に、地上デジタルアンテナ１０２で受信された受信信号ＲＳ及び地上アナログアンテナ１０４で受信された受信信号ＲＳは、デジタルテレビジョン受像機１０６に入力される。このように、デジタルテレビジョン受像機１０６には、地上アナログ放送、地上デジタル放送、衛星放送など、各種の放送信号が入力される。また、デジタルテレビジョン受像機１０６には、再生機器や録画再生機器等を接続するための入力端子が設けられていてもよい。
【００２６】
一方、リモートコントローラ１０８には、赤外線（ＩＲ：Ｉｎｆｒａｒｅｄ）信号を射出するためのＩＲ発信部１１４（リモートコントローラ信号発信部１０００）が設けられている。例えば、リモートコントローラ１０８は、ユーザ操作に応じて赤外線信号を射出し、デジタルテレビジョン受像機１０６に対して各種の指令を与える。つまり、リモートコントローラ１０８は、ユーザの操作入力手段であり、かつ、デジタルテレビジョン受像機１０６の制御手段である。なお、ユーザ操作の多くは、リモートコントローラ１０８に設けられた操作キーを用いて行われる。
【００２７】
［２．リモートコントローラのキーの構成］
ここで、図２を参照しながら、リモートコントローラ１０８のキー構成について説明する。図２は、リモートコントローラ１０８のキー構成例を示す説明図である。但し、図２には、同実施形態に係る入力操作に用いられる主要なキーのみが描画されている。
【００２８】
図２に示すように、リモートコントローラ１０８には、画面表示キー１００２、消音キー１００４、連動データキー１００６、予約一覧キー１００８、メニューキー１０１０が設けられている。また、リモートコントローラ１０８には、地上波キー１０１２、ＢＳキー１０１４、メディアキー１０１６、映像キー１０１８、音量アップキー１０２０、音量ダウンキー１０２２、ビデオキー１０２４、コンポーネントキー１０２６が設けられている。
【００２９】
さらに、リモートコントローラ１０８には、音声切換キー１０２８、電源キー１０３０、カラーキー１０３２、戻るキー１０３４、オプションキー１０３６、番組表キー１０３８、ＣＳキー１０４０、１０キーキー１０４２、ＢＳテンキー１０４４が設けられている。そして、リモートコントローラ１０８には、字幕キー１０４６、番組説明キー１０４８、地上波テンキー１０５０、チャンネル＋キー１０５２、チャンネル−キー１０５４が設けられている。そして、リモートコントローラ１０８には、メモキー１０５６、ＡＶマルチキー１０５８、上下左右キー１０６０、決定キー１０６２が設けられている。
【００３０】
画面表示キー１００２は、デジタルテレビジョン受像機１０６に設けられた複数の入力端子から入力される映像信号の入力系統を切り替えるためのものである。消音キー１００４は、デジタルテレビジョン受像機１０６に設けられたスピーカからの音声出力のミュートのオン又はオフを切り替える場合に操作されるものである。電源キー１０３０は、デジタルテレビジョン受像機１０６の電源をオン又はオフさせる場合に操作されるものである。音声切換キー１０２８は、デジタルテレビジョン受像機１０６に設けられたスピーカからの音声出力の音声の種類（例えば、主音声、副音声など）を切り換える場合に操作されるものである。
【００３１】
カラーキー１０３２は、デジタルテレビジョン受像機１０６で表示される画面の案内に従って各種の選択を行うときに操作されるものである。
【００３２】
メニューキー１０１０は、デジタルテレビジョン受像記１０６で表示されるショートカットメニューの表示などの各種メニューを使用する場合に操作されるものである。連動データキー１００６は、映像信号に対して重畳されるＯＳＤ（Ｏｎ  Ｓｃｒｅｅｎ  Ｄｉｓｐｌａｙ）などのグラフィック表示のオン又はオフを切り替える場合に操作されるものである。予約一覧キー１００８は、デジタルテレビジョン受像機１０６に設けられたデジタルチューナによって録画されたＢＳデジタル放送、ＣＳデジタル放送、地上デジタル放送の一覧の表示画面に切り替える場合に操作されるものである。戻るキー１０３４は、デジタルテレビジョン受像機１０６の画面１１８上で現在表示されている番組のチャンネルの１つ前に表示していた番組のチャンネルに切り替えるためのものである。オプションキー１０３６は、映像信号の輝度やコントラストなどの各種オプションメニューを表示させる場合に操作されるものである。番組表キー１０３８は、ＥＰＧ情報にもとづく番組表の表示のオン又はオフを切り替える場合に操作されるものである。
【００３３】
円形の上下左右キー１０６０は、デジタルテレビジョン受像機１０６の画面１１８上のカーソルを上下左右に移動させるためのものである。また、上記上下左右キー１０６０は、後述するような複数の映像が一覧表示される状況でカーソルを画面１１８上で上下左右に移動させる場合に操作されるものでもある。決定キー１０６２は、デジタルテレビジョン受像機１０６の画面１１８上の選択項目を確定する場合に操作されるものである。例えば、後述するような複数の映像が一覧表示される状況でカーソルを選択したい映像に合わせて当該映像を視聴することを決定する場合に操作されるものである。
【００３４】
地上波キー１０１２は、デジタルテレビジョン受像機１０６で地上アナログ放送又は地上デジタル放送を表示させる場合に操作されるものである。ＢＳキー１０１４は、デジタルテレビジョン受像機１０６でＢＳデジタル放送に画面を切り替える場合に操作されるものである。ＣＳキー１０４０は、デジタルテレビジョン受像機１０６でＣＳデジタル放送に画面を切り替える場合に操作されるものである。１０キーキー１０４２は、デジタルテレビジョン受像機１０６で表示させる放送のチャンネルのチャンネル番号の１０の位を入力させるためのものである。ＢＳテンキー１０４４は、デジタルテレビジョン受像機１０６で表示させるＢＳデジタル放送又はＣＳデジタル放送を視聴中に、チャンネルを選択する場合に操作されるものである。
【００３５】
メディアキー１０１６は、デジタルテレビジョン受像機１０６で地上アナログ放送、地上デジタル放送、ＢＳデジタル放送、及びＣＳデジタル放送を順番に切り替える場合に操作されるものである。映像キー１０１８は、デジタルテレビジョン受像機１０６で２つ以上の映像が同時に配信されてくる番組の視聴中に映像を切り替える場合に操作されるものである。字幕キー１０４６は、デジタルテレビジョン受像機１０６の画面１１８上で表示される字幕の表示のオン又はオフを切り替える場合に操作されるものである。番組説明キー１０４８は、デジタルテレビジョン受像機１０６の画面１１８上で表示される番組説明の表示のオン又はオフを切り替える場合に操作されるものである。
【００３６】
地上波テンキー１０５０は、デジタルテレビジョン受像機１０６でユーザが地上アナログ放送又は地上デジタル放送を視聴している最中にチャンネルを切り替える場合に操作されるものである。
【００３７】
音量アップキー１０２０は、デジタルテレビジョン受像機１０６に設けられたスピーカからの音声出力の音量を上げる場合に操作されるものである。音量ダウンキー１０２２は、デジタルテレビジョン受像機１０６に設けられたスピーカからの音声出力の音量を下げる場合に操作されるものである。チャンネル＋キー１０５２は、デジタルテレビジョン受像機１０６でユーザが視聴する番組のチャンネルを昇順に切り替える場合に操作されるものである。チャンネル＋キー１０５４は、デジタルテレビジョン受像機１０６でユーザが視聴する番組のチャンネルを降順に切り替える場合に操作されるものである。
【００３８】
ビデオキー１０２４、コンポーネントキー１０２６、ＡＶマルチキー１７９は、デジタルテレビジョン受像機１０６に設けられた各種の外部端子に接続されている映像機器から入力される映像を表示させる場合に操作されるものである。メモキー１０５６は、デジタルテレビジョン受像機１０６で表示中の映像信号のフレームを静止させて、静止画面として表示させる場合に操作されるものである。
【００３９】
上記のように、リモートコントローラ１０８には、種々の操作を行うための操作キーが設けられている。これらの操作キーがユーザにより押下されると、その操作キーに対応する赤外線信号ＩＲがＩＲ発信部１０８Ａから射出される。そして、リモートコントローラ１０８から射出された赤外線信号ＩＲは、デジタルテレビジョン受像機１０６に設けられた赤外線受信部１１４より受信される。デジタルテレビジョン受像機１０６は、リモートコントローラ１０８から受信した赤外線信号ＩＲに応じて、例えば、画面１１８に表示される映像信号を切り替える。このように、ユーザによりリモートコントローラ１０８が操作されると、赤外線信号ＩＲを介してデジタルテレビジョン受像機１０６が制御される。
【００４０】
［３．映像表示装置のハードウェア構成について］
上記の映像表示装置１１２が有する機能は、例えば、図３に示すハードウェア構成を有する映像表示装置１１２により実現することが可能である。図３は、上記の映像表示装置１１２のハードウェア構成を示す説明図である。
【００４１】
図３に示すように、映像表示装置１１２は、主に、ホストマイコン１５２と、バス１５４と、不揮発性メモリ１５６と、ＵＩ（Ｕｓｅｒ  Ｉｎｔｅｒｆａｃｅ）制御部１５８とを有する。さらに、映像表示装置１１２は、デジタル系アンテナ１６０と、デジタルチューナ１６２と、デマルチプレクサ１６４と、ＡＶデコーダ１６６と、ＧＵＩ重畳器１６８と、ディスプレイ１７０と、スピーカ１７２とを有する。
【００４２】
さらに、映像表示装置１１２は、アナログ系アンテナ１７４と、アナログチューナ１７６と、復調器１７８と、ＶＢＩスライサ１８０と、ＥＰＧデコーダ１８２とを有する。さらに、映像表示装置１１２は、ネットワーク端子１８４と、ネットワークコントローラ１８６と、ＲＡＭ（Ｒａｎｄｏｍ  Ａｃｃｅｓｓ  Ｍｅｍｏｒｙ）１８８とを有する。
【００４３】
映像表示装置１１２は、デジタル系及びアナログ系のテレビジョン放送の受信再生機能、及びＥＰＧ情報の取得機能を有している。また、Ｈｏｓｔマイコン１５２は、内蔵メモリ（非図示）、またはバス１５４を介して接続された不揮発性メモリ１５６に記録されているプログラムにしたがって各種処理を実行する。また、映像表示装置１１２は、ＵＩ制御部１５８を介してリモートコントローラ（以下、リモコンとも呼ぶ）１０８より入力される操作信号をコマンドとして受け取る。そして、このコマンドに応じて各部の動作が制御される。
【００４４】
（デジタル放送信号を受信する場合）
映像表示装置１１２は、Ｈｏｓｔマイコン１５２の制御のもと、デジタル系アンテナ１６０を介して受信したデジタル放送信号をデジタルチューナ１６２に入力する。デジタルチューナ１６２は、Ｈｏｓｔマイコン１５２の制御のもと、デジタル放送信号から所定のチャンネルの放送信号を抽出する。所定のチャンネルとは、例えば、ユーザ操作により指定されたチャンネルのことである。さらに、映像表示装置１１２は、抽出した放送チャンネル信号に対して復調処理及びデスクランブル処理などを施す。復調処理、及びデスクランブル処理により放送チャンネルデータが得られる。この放送チャンネルデータはデマルチプレクサ１６４に入力される。
【００４５】
デマルチプレクサ１６４は、放送チャンネルデータから映像データと音声データとを分離して、これらをＡＶデコーダ１６６に送出する。ＡＶデコーダ１６６は、映像データをデコードして映像信号を生成し、音声データをデコードして音声信号を生成する。ＡＶデコーダ１６６により生成された映像信号は、ＧＵＩ（Ｇｒａｐｈｉｃａｌ  Ｕｓｅｒ  Ｉｎｔｅｒｆａｃｅ）重畳器１６８を介してディスプレイ１７０に送出される。一方で、ＡＶデコーダ１６６により生成された音声信号は、スピーカ１７２に送出される。なお、ＧＵＩ重畳器１６８は、映像信号に対してＯＳＤ（Ｏｎ  Ｓｃｒｅｅｎ  Ｄｉｓｐｌａｙ）などのグラフィック信号を重畳する。
【００４６】
このようにして映像信号がディスプレイ１７０に送出されると、ディスプレイ１７０からはデジタル放送の番組映像が出力される。一方、スピーカ１７２からは番組音声が出力される。上記の通り、テレビジョン放送受信装置１５０は、デジタル放送を受信した場合、受信信号から番組の映像信号及び番組の音声信号を再生してディスプレイ１７０及びスピーカ１７２に出力する。
【００４７】
（アナログ放送信号を受信する場合）
また、映像表示装置１１２は、Ｈｏｓｔマイコン１５２の制御のもと、アナログ系アンテナ１７４を介して受信したアナログ放送信号をアナログチューナ１７６に入力する。アナログチューナ１７６は、Ｈｏｓｔマイコン１５２の制御のもと、アナログ放送信号から所定のチャンネルの放送信号を抽出する。所定のチャンネルとは、例えば、ユーザ操作により指定されたチャンネルのことである。アナログチューナ１７６は、抽出した放送信号を復調器１７８に送出する。復調器１７８は、放送信号に対して所定の復調処理を施すことにより復調信号を得る。さらに、復調器１７８は、この復調信号から映像信号と音声信号とを分離する。復調器１７８により分離された映像信号は、ＧＵＩ重畳器１６８を介してディスプレイ１７０に送出される。一方で、復調器１７８により分離された音声信号は、スピーカ１７２に送出される。なお、ＧＵＩ重畳器１６８は、映像信号に対してＯＳＤなどのグラフィック信号を重畳する。
【００４８】
このようにして映像信号がディスプレイ１７０に送出されると、ディスプレイ１７０からアナログ放送の番組映像が出力される。一方、スピーカ１７２からは番組音声が出力される。上記の通り、テレビジョン放送受信装置１５０は、アナログ放送を受信した場合、受信信号から番組の映像信号及び番組の音声信号を再生してディスプレイ１７０及びスピーカ１７２に出力する。
【００４９】
（ＥＰＧ情報の抽出処理及び記録処理：デジタル放送の場合）
さらに、テレビジョン放送受信装置１５０は、Ｈｏｓｔマイコン１５２の制御のもと、デマルチプレクサ１６４により放送チャンネルデータからデジタル放送のＥＰＧ情報を分離して、これを不揮発性メモリ１５６に記録する。このＥＰＧ情報がチャンネルごとに提供される場合、Ｈｏｓｔマイコン１５２は、受信可能な複数のチャンネルのそれぞれの放送チャンネルデータからＥＰＧ情報を取得して不揮発性メモリ１５６に記録する。
【００５０】
（ＥＰＧ情報の抽出処理及び記録処理：アナログ放送の場合）
さらに、テレビジョン放送受信装置１５０は、Ｈｏｓｔマイコン１５２の制御のもと、復調器１７８により復調された復調信号をＶＢＩ（Ｖｅｒｔｉｃａｌ  Ｂｌａｎｋｉｎｇ  Ｉｎｔｅｒｖａｌ）スライサ１８０に送出する。ＶＢＩスライサ１８０は、復調信号の特定ラインを切り出して、これをＥＰＧデコーダ１８２に送出する。ＥＰＧデコーダ１８２は、復調信号の特定ラインをデコードすることによりアナログ放送のＥＰＧ情報を取得して不揮発性メモリ１５６に記録する。
【００５１】
また、テレビジョン放送受信装置１５０は、Ｈｏｓｔマイコン１５２の制御のもと、ＥＰＧ情報配信サーバ（非図示）から送信されるアナログ放送のＥＰＧ情報を受信する。受信したＥＰＧ情報は、ネットワークコントローラ１８６及びバス１５４を介して不揮発性メモリ１５６に記録される。
【００５２】
このようにしてテレビジョン放送受信装置１５０はＥＰＧ情報を取得する。なお、ＥＰＧ情報には、放送予定の番組に関する番組情報が含まれる。番組情報には、例えば、放送局名、チャンネル番号、放送日時、放送開始時刻、放送終了時刻、番組名、ジャンル、番組概要、番組詳細、出演者などが含まれている。
【００５３】
［４．映像表示装置の機能構成］
次に、図４を参照しながら、本実施形態に係る映像表示装置１１２の機能構成について説明する。図４は、本実施形態に係る映像表示装置１１２の機能構成例を示す説明図である。映像表示装置１１２は、外部機器の映像信号をリアルタイムで取得して、当該映像信号に関する映像信号と、自装置が提供する映像信号とを同時に表示する機能に特徴を有する。
【００５４】
図４に示すように、映像表示装置１１２は、主に、外部チューナ映像受信部２４４と、内部受信チューナ２３６と、映像制御部２４２と、表示制御部２３４と、映像情報記録部２３８と、記憶部２４６と、表示画面２３０と、ＵＩ制御部１５８とを有する。
【００５５】
また、図４に示すように、外部機器２３２は、主に、制御部２４８と、映像送信部２５６と、受信チューナ２５４と、電源情報管理部２５０と、電源２５８と、外部映像信号記録部２５２と、外部映像信号記憶部２６０とを有する。
【００５６】
（内部受信チューナが受信した映像信号について）
ＵＩ制御部１５８は、ユーザがリモコン１０８より入力する操作信号を受け取る。そして、ＵＩ制御部１５８は、映像制御部２４２に操作信号を送信する。当該操作信号には、例えば、地上アナログ放送、地上デジタル放送、ＢＳデジタル放送、及びＣＳデジタル放送のうちユーザが視聴したい放送がどれであるかという信号、またユーザが視聴したいチャンネル番号に関する信号などが含まれる。具体的な操作として、例えばまずユーザがリモコン１０８の電源キー１０３０を押す。次に、ユーザが、リモコン１０８の地上波キー１０１２、ＢＳキー１０１４、ＣＳキー１０４０の何れかを押す。次に、ユーザが、ＢＳテンキー１０４４又は地上波キー１０５０で好みのチャンネル番号を押す。例えばこのような操作を通して、ユーザは、ＵＩ制御部１５８に操作信号を送信することができる。
【００５７】
映像制御部２４２は、ＵＩ制御部１５８から受信した操作信号に基づいて、内部受信チューナ２３６に取得してくるべきチャンネルの映像信号に関する映像情報（以下では、内部映像情報と呼ぶ。）を送信する。ここで言う映像情報には、映像信号のチャンネル番号が含まれる。なお、上記の取得してくるべきチャンネルには、ユーザが視聴したい放送、及びチャンネルが含まれる。次いで、内部受信チューナ２３６は、上記の映像情報に基づいて放送局より映像信号を受信する。そして内部受信チューナは、受信した映像信号（以下では、内部映像信号と呼ぶ。）を表示制御部２３４に送信する。表示画面２３０に内部映像信号が送信されると、表示画面２３０に映像信号が表示される。ユーザは、表示画面２３０に表示された内部映像信号を視聴しながら、チャンネル変更などの各種操作を行う。
【００５８】
上記の各種操作としては、チャンネル変更のほかにも、例えば、音量の変更、輝度の調整、色味の変更などがある。これらの操作は、例えば、図２に例示したリモートコントローラ１０８を用いて行われる。また、上記の各種操作には、後述するように画面上に表示された複数の映像信号の配置を調整したり、サイズを変更したりする操作も含まれる。上記の複数の映像信号は、アイコンとして表示されてもよい。一つの映像表示装置１１２が有する画面上に、複数の映像信号がリアルタイムで表示されると、ユーザとしては視聴する番組を選択しやすくなる。
【００５９】
また、このような複数の映像信号のリアルタイムでの表示が、複数のチューナを必要とせずに実現されると、製造コストが抑えられる。そこで、本実施形態においては、外部機器の受信チューナにより受信した映像信号を受信してリアルタイムで同時に複数の映像信号を表示することができる映像表示装置に関する技術が提案される。以下、当該技術について詳細に説明する。
【００６０】
（外部機器から映像信号受信可能か否かの確認について）
まず、映像制御部２４２は、外部機器２３２の制御部２４８に映像受信制御情報を送信する。ここで、映像受信制御情報には、映像表示装置１１２が外部機器か２３２から映像信号を受信することが可能であるかを確認するために送信する情報が含まれる。制御部２４８が、外部機器２３２から映像表示装置１１２に映像信号を送信することができる場合には、映像信号が送信可能であることを映像表示装置１１２に認識させるための情報を送信する。その場合には、後述するように映像表示装置１１２は、外部機器２３２から映像信号を受信することができる。
【００６１】
一方、制御部２４８が、映像制御部２４２に映像を送信することができない場合には、映像信号が送信不可能であることを認識させるための情報を送信する。映像信号が送信不可能である場合とは、例えば、外部機器２３２の受信チューナ２５４が故障中であるために、映像信号を受信することができない場合である。
【００６２】
また、映像制御部２４２が、映像受信制御情報を外部機器２３２に送信する際に、映像受信制御情報には、外部機器２３２から映像信号を受信するための認証信号が含まれていてもよい。当該認証信号とは、映像表示装置１１２が外部機器２３２から映像信号を受信するために必要な信号である。例えば、ユーザがリモコン１０８より認証信号をＵＩ制御部１５８に送信する。そしてＵＩ制御部１５８が、映像制御部２４２に上記の認証信号を送信して、映像制御部２４２が制御部２４８に当該認証信号を送信することができる。この場合、認証信号とは、ユーザはリモコン１０８により入力する外部装置固有の認証番号であってもよい。また、他の例として、記憶部２４６に、外部機器固有の認証番号が認証信号として記録されていてもよい。この場合、映像情報記録部２３８が、上記認証信号を受信して、映像制御部２４２に送信する。
【００６３】
そして、映像制御部２４２が制御部２４８に当該認証信号を送信することができる。制御部２４８は、認証信号を受信して、映像表示装置１１２に映像信号を送信することができないと認識した場合には、上記の映像信号が送信は不可能であることを認識させるための情報を映像制御部２４２に送信する。上記の映像表示装置１１２に映像信号を送信することができないと認識した場合とは、例えば、映像制御部２４２が制御部２４８に認証信号として送信した認証番号が、外部機器固有の認証番号と一致しない場合である。また、他の例としては、外部機器２３２が有する受信チューナ２５４が既に使用されている場合である。既に使用されているとは、例えば受信チューナ２５４が、本実施形態の目的である映像表示装置１１２に外部機器２３２が映像信号を送信するよりも先に、他の用途で用いられていることを指す。
【００６４】
そして、制御部２４８が、映像制御部２４２に映像信号を送信できる場合、映像制御部２４２は、制御部２４８に電源制御情報を送信する。ここで電源制御情報とは、外部機器２３２の電源２５８が入力されているのか否かについての情報を制御部２４８が映像制御部２４２に送信するように映像制御部２４２が制御部２４８に送信する情報である。上記の電源制御情報を取得した制御部２４８は、外部機器２３２の電源情報管理部２５０に電源制御情報を送信する。電源制御情報を取得した電源情報管理部２５０は、電源２５８が入力されている場合には、電源２５８が入力されているという情報を制御部２４８に送信する。そして、制御部２４８は、電源２５８が入力されているという情報を映像制御部２４２に送信する。
【００６５】
（外部機器から受信した映像信号の表示について）
電源２５８が入力されているという情報を取得した映像制御部２４２は、制御部２４８に内部映像情報を送信する。当該内部映像情報は、ＵＩ制御部１５８により映像制御部２４２が、内部受信チューナ２３６に送信した内部映像情報である。映像制御部２４２が、上記の内部映像情報を制御部２４８に送信することで、制御部２４８は、例えば当該内部映像情報に関する内部映像信号とは異なる映像信号を映像表示装置１１２に送信することができる。当該異なる映像信号には、チャンネルの異なる映像信号が含まれる。そして、制御部２４８を有する外部機器２３２側から、映像表示装置１１２が表示している内部映像信号に関する内部映像信号とは異なるチャンネルの映像信号が映像表示装置１１２に送信される。その結果、映像表示装置１１２は同時に複数の異なる映像信号を表示することができる。
【００６６】
そして、制御部２４８は、映像制御部２４２から受信した内部映像情報を基に、受信チューナ２５４に映像情報（以下では、外部映像情報と呼ぶ。）を送信する。ここで言う外部映像情報には、受信チューナ２５４が取得するべき映像信号（以下では、外部映像信号と呼ぶ。）に関する映像情報であり、チャンネル番号等が含まれる。
【００６７】
外部映像信号については、制御部２４８が外部映像信号記録部２５２に送信してもよい。外部映像信号記録部２５２は、外部映像信号を外部映像信号記憶部２６０に記録しておくことができる。例えば、制御部２４８が、記憶部に記録されている外部映像信号を受信して、当該外部映像信号に基づいて上記の外部映像情報を受信チューナ２５４に送信することもできる。
【００６８】
そして、受信チューナ２５４は、放送局から外部映像信号を受信する。制御部２４８は、外部映像信号を受信チューナ２５４から受信する。そして、制御部２４８は、映像送信部２５６に外部映像信号を送信する。映像送信部２５６は、外部映像信号を外部チューナ映像受信部２４４に送信する。外部映像信号を受信した外部チューナ映像受信部２４４は、当該外部映像信号を映像制御部２４２に送信する。映像制御部２４２は、外部映像信号を表示制御部２３４に送信する。表示画面２３０に外部映像信号が送信されると、表示画面２３０に映像信号が表示される。ユーザは、表示画面２３０に表示された外部映像信号を視聴しながら、チャンネル変更などの各種操作を行う。表示画面２３０は、上記の内部映像信号と外部映像信号を同時にリアルタイムで表示することができる。
【００６９】
上記の各種操作としては、チャンネル変更のほかにも、例えば、音量の変更、輝度の調整、色味の変更などがある。これらの操作は、例えば、図２に例示したリモートコントローラ１０８を用いて行われる。また、上記の各種操作には、画面上に表示された複数の映像信号の配置を調整したり、サイズを変更したりする操作も含まれる。上記の内部映像信号と外部映像信号は、アイコンとして表示されてもよい。
【００７０】
また、外部チューナ映像受信部２４４は、上記の外部映像信号を複数の外部機器２３２から、当該外部機器２３２の有する受信チューナ２５４より受信した映像信号を受信することもできる。映像制御部２４２は、外部チューナ映像受信部２４４から複数の外部映像信号を受信する。映像制御部２４２は、受信した当該複数の外部映像信号を表示制御部２３４に送信する。表示画面２３０に外部映像信号が送信されると、表示画面２３０に複数の外部映像がリアルタイムで内部映像と同時に表示される。ユーザは、表示画面２３０に表示された複数の映像を視聴しながら、チャンネル変更などの各種操作を行うことができる。
【００７１】
このように複数の映像信号が表示画面２３０に表示される場合に、複数の映像信号は、それぞれが異なった映像信号であることがより望ましい。ここで、異なった映像には、異なったチャンネルの映像が含まれる。異なったチャンネルの映像がリアルタイムで同時に表示されることで、ユーザは視聴する番組を選択しやすくなる。また、このように複数の映像信号がリアルタイムで同時に表示されることが複数のチューナを必要とせずに実現されると、製造コストが抑えられ、ユーザは低費用で映像表示装置を購入することができる。
【００７２】
また、複数の映像信号を映像表示装置１１２が表示する場合に、映像制御部２４２がチャンネルリストを作成してもよい。例えば、複数の映像信号が表示画面２３０上にアイコンとして表示される場合に、映像制御部２４２が作成した上記のチャンネルリストに基づいて複数の映像信号が表示画面２３０上に表示されることができる。ここで言うアイコンは、チャンネル選択用のオブジェクトの一例である。そして、チャンネルリストとは、例えば、映像表示装置１１２が表示することができる複数の映像信号に関するチャンネルの情報のことを指す。当該チャンネルの情報には、各チャンネルの番号、各チャンネルの番組表、各チャンネルの周波数帯等が含まれる。
【００７３】
そして、チャンネルリストは、例えば記憶部２４６に記録されている。チャンネルリストは、予めデータベースとして記憶部２４６に記録されていてもよい。例えばチャンネルリストは放送局から送信されて記憶部２４６に記録されたものであってよい。また、ユーザがリモコン１０８を操作することにより、チャンネルリストが作成され、記憶部２４６に記録される。この場合、映像制御部２４２は、記憶部２４６からチャンネルリストを取得する。
【００７４】
また、映像表示装置１１２が外部機器２３２から外部映像信号を受信する場合に、受信する速度が通常の速度よりも遅い場合がありうる。ここで通常の速度とは、映像表示装置１１２が、外部機器２３２から外部映像信号を受信して、リアルタイムで当該外部映像信号の全フレームを表示することができる速度をさす。そのような場合、映像表示装置１１２は、外部機器２３２から受信した外部映像信号をリアルタイムで全フレーム表示することはできない。そこで、映像制御部２４２は、映像表示装置１１２と外部機器２３２との送受信する速度が低くなるに従い、外部チューナ映像受信部２４４により受信する映像信号のフレーム数を減少させることができる。そのため、映像表示装置１１２は、外部機器２３２からの受信速度が通常の速度よりも遅い場合であっても、受信するフレーム数を減らしてリアルタイムで映像信号を表示することができる。
【００７５】
（外部機器に電源が入力されていない場合）
一方、外部機器２３２に電源２５８が入力されていない場合には、電源制御情報を受信した電源情報管理部２５０は、電源２５８が入力されていないという情報を制御部２４８に送信する。制御部２４８は、電源２５８が入力されていないという情報を映像制御部２４２に送信する。そして、映像制御部２４２は、電源を入力するための情報を制御部２４８に送信する。そして、制御部２４８は、電源を入力するための情報を電源情報管理部２５０に送信する。電源を入力するための情報を受信した電源情報管理部２５０は、電源２５８を入力させる。電源２５８が入力されると、電源情報管理部２５０は、電源２５８が入力されているという情報を制御部２４８に送信する。そして、上述したように制御部２４８は、電源２５８が入力されているという情報を映像制御部２４２に送信する。そして、映像制御部２４２は、制御部２４８に内部映像情報を送信する。それ以降、外部機器２３２の受信チューナ２５４が受信した外部映像信号を制御部２４８が受信して、表示制御部２３４が表示画面２３０に外部映像を表示させるまでの流れは、上述してきたものと同様である。
【００７６】
［５．映像表示方法の処理フロー］
次に、図５、及び図６に示すフローを参照しながら、複数の映像がリアルタイムで同時に表示される方法について説明する。
【００７７】
（外部機器から映像信号受信可能か否かの確認について）
図５は、映像表示装置１１２が、外部機器２３２から映像信号を受信することができる状態であるか否かを確認する方法についてのフローを示したものである。
【００７８】
まず、ステップＳ１０００に示すように、映像表示装置１１２は、外部機器２３２と情報の送受信が可能であるか否かを確認する。映像表示装置１１２の映像制御部２４２は、外部機器２３２の制御部２４８に映像受信制御情報を送信する。ここで、映像受信制御情報には、映像表示装置１１２が外部機器か２３２から映像信号を受信することが可能であるかを確認するために送信する情報である。制御部２４８が、外部機器２３２から映像表示装置１１２に映像を送信することができる場合には、映像信号が送信可能であることを映像表示装置１１２に認識させるための情報を送信する。その場合には、後述するように映像表示装置１１２は、外部機器２３２から映像信号を受信することができる。
【００７９】
一方、制御部２４８が、映像制御部２４２に映像を送信することができない場合には、映像信号が送信不可能であることを認識させるための情報を送信する。映像信号が送信不可能である場合とは、例えば、外部機器２３２の受信チューナ２５４が故障中であるために、映像信号を受信することができない場合である。
【００８０】
そして、ステップＳ１００２に示すように、映像表示装置１１２が外部機器２３２と情報の送受信が可能である場合に、映像表示装置１１２は、外部機器２３２から映像信号を受信することについて認証されたか否かを確認する。認証されたか否かを確認するために、例えば映像制御部２４２が、映像受信制御情報を外部機器２３２に送信する際に、外部機器２３２から映像信号を受信するための認証信号が含まれていてもよい。当該認証信号とは、映像表示装置１１２が外部機器２３２から映像信号を受信するために必要な信号である。例えば、ユーザがリモコン１０８より認証信号をＵＩ制御部１５８に送信する。そしてＵＩ制御部１５８が、映像制御部２４２に上記の認証信号を送信して、映像制御部２４２が制御部２４８に当該認証信号を送信することができる。この場合、認証信号とは、ユーザはリモコン１０８により入力する外部装置固有の認証番号であってもよい。
【００８１】
また、他の例として、記憶部２４６に、外部機器固有の認証番号が認証信号として記録されていてもよい。この場合、映像情報記録部２３８が、上記認証信号を受信して、映像制御部２４２に送信する。そして、映像制御部２４２が制御部２４８に当該認証信号を送信することができる。制御部２４８は、認証信号を受信して、映像表示装置１１２に映像信号を送信することができないと認識した場合には、上記の映像信号の送信は不可能であることを認識させるための情報を映像制御部２４２に送信する。また、制御部２４８は、認証信号を受信して、映像表示装置１１２に映像信号を送信することができると認識した場合には、上記の映像信号の送信は可能であることを認識させるための情報を映像制御部２４２に送信する。
【００８２】
次に、ステップＳ１００４に示すように、映像表示装置１１２は、外部機器２３２から上記の映像信号の送信は可能であることを認識させるための情報を受信した場合、外部機器２３２の受信チューナ２５４が使用可能か否かについての情報を受信する。受信チューナ２５４が使用不可能である場合とは、例えば、受信チューナ２５４が既に使用されている場合である。既に使用されているとは、例えば受信チューナ２５４が、本実施形態の目的である映像表示装置１１２に外部機器２３２が映像信号を送信するよりも先に、他の用途で用いられていることを指す。外部機器２３２の受信チューナ２５４が使用可能である場合、制御部２４８は、映像制御部２４２に使用可能であることを認識させるための情報を送信する。
【００８３】
次に、ステップＳ１００６に示すように、外部機器２３２の受信チューナ２５４が使用可能である場合、外部機器２３２に電源が入力されているか否かについての情報を受信する。まず、映像制御部２４２は、制御部２４８に電源制御情報を送信する。ここで電源制御情報とは、外部機器２３２の電源２５８が入力されているのか否かについての情報を制御部２４８が映像制御部２４２に送信するように映像制御部２４２が制御部２４８に送信する情報である。上記の電源制御情報を取得した制御部２４８は、外部機器の電源情報管理部２５０に電源制御情報を送信する。電源制御情報を取得した電源情報管理部２５０は、電源２５８が入力されている場合には、電源２５８が入力されているという情報を制御部２４８に送信する。そして、制御部２４８は、電源２５８が入力されているという情報を映像制御部２４２に送信する。
【００８４】
一方、外部機器２３２に電源２５８が入力されていない場合には、電源制御情報を取得した電源情報管理部２５０は、電源２５８が入力されていないという情報を制御部２４８に送信する。制御部２４８は、電源２５８が入力されていないという情報を映像制御部２４２に送信する。そして、映像制御部２４２は、電源を入力するための情報を制御部２４８に送信する。そして、制御部２４８は、電源を入力するための情報を電源情報管理部２５０に送信する。電源を入力するための情報を受信した電源情報管理部２５０は、電源２５８を入力させる。電源２５８が入力されると、電源情報管理部２５０は、電源２５８が入力されているという情報を制御部２４８に送信する。そして、上述したように制御部２４８は、電源２５８が入力されているという情報を映像制御部２４２に送信する。
【００８５】
以上の、ステップＳ１０００、ステップＳ１００２、ステップＳ１００４、及びステップＳ１００６を通して、映像表示装置１１２は外部機器２３２から映像信号を受信することが可能となる。次いで映像表示装置１１２が外部機器２３２から映像信号を受信する方法について説明する。
【００８６】
（外部機器からの映像信号受信方法について）
図６は、映像表示装置１１２が、外部機器２３２から映像信号を受信する方法についてのフローを示したものである。
【００８７】
まず、ステップＳ１０１０に示すように、映像制御部２４２がチャンネルリストを準備する。チャンネルリストは、例えば記憶部２４６に記録されている。チャンネルリストは、予めデータベースとして記憶部２４６に記録されていてもよい。例えばチャンネルリストは放送局から送信されて記憶部２４６に記録されたものであってよい。また、ユーザがリモコン１０８を操作することにより、チャンネルリストを作成して、記憶部２４６に記録してもよい。この場合、映像制御部２４２は、記憶部２４６からチャンネルリストを取得する。ここで言う、チャンネルリストとは、映像表示装置１１２が表示することができる複数の映像信号に関するチャンネルの情報のことを指す。当該チャンネルの情報には、各チャンネルの番号や、各チャンネルの番組表や、各チャンネルの周波数帯が含まれる。一方、ステップＳ１０１２に示すように、外部機器２３２は、映像表示装置１１２から映像信号を送信するように要求されることを待っている状態である。
【００８８】
次に、ステップＳ１０１４に示すように、映像表示装置１１２は、外部機器２３２に上記のチャンネルリストに基づいて、一つのチャンネルに関する映像信号の受信を要求する。そして、ステップＳ１０１６に示すように、外部機器２３２は、上記の映像信号の受信要求を受信する。具体的には、映像制御部２４２が、外部機器２３２に内部映像情報を送信する。当該内部映像情報は、ＵＩ制御部１５８により映像制御部２４２が、内部受信チューナに送信した内部映像情報である。映像制御部２４２が上記の内部映像情報を制御部２４８に送信することで、制御部２４８は、当該内部映像情報に関する内部映像信号とは異なる映像信号を映像表示装置１１２に送信することができる。ここで言う、当該異なる映像信号には、チャンネルの異なる映像信号が含まれる。制御部２４８を有する外部機器２３２側から、映像表示装置１１２が表示している内部映像信号に関する内部映像信号とは異なるチャンネルの映像信号が映像表示装置１１２に送信される。その結果、映像表示装置１１２は同時に異なる映像をリアルタイムで表示することができる。
【００８９】
次に、ステップＳ１０１８に示すように、外部機器２３２は、映像表示装置１１２に送信するチャンネルの映像信号を決定する。具体的には、制御部２４８が、受信した上記の内部映像情報に基づいて受信チューナ２５４が受信すべき外部映像信号を決定する。ここで、内部映像信号と外部映像信号は、異なる映像信号であることが望ましい。映像信号が異なるとは、例えば映像信号のチャンネルが異なることである。内部映像信号と外部映像信号が異なることで、映像表示装置１１２は、リアルタイムで異なる映像信号を同時に表示することができる。
【００９０】
また、制御部２４８は、外部映像信号記憶部２６０に記録されている外部映像信号を受信してから、どのチャンネルの映像信号を内部受信チューナ２３６に受信させることができるか決定してもよい。具体的には、制御部２４８が、外部映像信号記憶部２６０から取得した外部映像信号のチャンネルの番号や、各チャンネルの周波数帯を参照して、受信可能な映像信号を決定することができる。
【００９１】
次に、ステップＳ１０２０に示すように、外部機器２３２は、放送局から映像信号を受信する準備をする。具体的には、制御部２４８は、受信チューナ２５４に外部映像情報を送信する。ここで言う、外部映像情報は、受信チューナ２５４が受信するべき外部映像信号に関する映像情報である。外部映像情報には、チャンネル番号や、チャンネルの周波数が含まれる。
【００９２】
次に、ステップＳ１０２２に示すように、受信チューナ２５４は、放送局から外部映像信号を受信する。
【００９３】
次に、ステップＳ１０２４に示すように、外部機器２３２は、外部映像信号を映像表示装置１１２に送信する。具体的には、まず、外部映像信号を受信した受信チューナ２５４が、制御部２４８に当該外部映像信号を送信する。そして、制御部２４８が、映像送信部２５６に映像を送信する。そして、映像送信部２５６は、外部チューナ映像受信部２４４に上記の外部映像信号を送信する。ステップＳ１０２６に示すように、外部チューナ映像受信部２４４は、外部映像信号を映像送信部２５６から受信する。
【００９４】
次に、ステップＳ１０２８に示すように、映像表示装置１１２は、受信した外部映像信号に関する外部映像情報を記録しておくことができる。具体的には、外部チューナ映像受信部２４４は、映像制御部２４２に当該外部映像信号を送信する。そして、外部映像信号を受信した映像制御部２４２は、当該外部映像信号に関する外部映像情報を映像情報記録部２３８に送信することができる。そして、映像情報記録部２３８は、上記の外部映像情報を記憶部２４６に記録しておくことができる。記憶部２４６に外部映像情報が記録されていることで、映像制御部２４２は、当該外部映像情報に基づいてチャンネルリストを作成することができる。
【００９５】
次に、ステップＳ１０３０に示すように、映像表示装置１１２は、受信した外部映像信号を表示させることができる。より具体的には、外部映像信号を受信した映像制御部２４２は、当該外部映像信号を表示制御部２３４に送信する。そして表示制御部２３４から表示画面２３０に外部映像信号が送信されると、表示画面２３０に外部映像信号がリアルタイムで内部映像信号と同時に表示される。ユーザは、表示画面２３０に表示された複数の映像を視聴しながら、チャンネル変更などの各種操作を行うことができる。そして、ステップＳ１０１４に示すように、再び映像表示装置１１２は、上記の外部機器２３２とは別の外部機器２３２に上記のチャンネルリストに基づいて、一つのチャンネルに関する映像信号の送信を要求する。映像表示装置１１２は、この操作を繰り返すことによって、表示画面２３０にリアルタイムで取得した複数の映像信号を、同時に表示することができる。当該複数の映像信号には、外部映像信号と、内部受信チューナ２３６により受信した内部映像信号とが含まれる。
【００９６】
このように複数の映像信号が表示画面２３０に表示される場合に、複数の映像信号は、それぞれが異なった映像信号であることがより望ましい。ここで、異なった映像信号には、異なったチャンネルの映像信号が含まれる。異なったチャンネルの映像信号がリアルタイムで同時に表示されることで、ユーザは視聴する番組を選択しやすくなる。また、このような複数の映像信号がリアルタイムで同時に表示されることが複数のチューナを必要とせずに実現されると、製造コストが抑えられ、ユーザは低費用で映像表示装置を購入することができる。
【００９７】
［６．映像表示方法の応用例］
次に、図７〜図１１を参照しながら複数のチャンネルの映像が表示された表示画面について説明する。
【００９８】
（アイコンとしての複数の映像の表示状態）
図７は、表示画面２３０に表示される映像信号の一例を示す説明図である。図７には、画面全体に表示された映像信号５００と、アイコンとしての複数のチャンネルの映像信号５０２、チャンネルの番号５０４、及び番組のタイトル名５０６とが示されている。映像信号５０２には、チャンネル毎の７つの映像信号が示されている。チャンネルの番号５０４には、７つのチャンネル番号が示されている。番組のタイトル名５０６には、チャンネル毎の７つのタイトル名が示されている。上記の通り、画面全体に表示された映像信号５００、及び複数のチャンネルの映像信号５０２は、映像表示装置１１２が内部受信チューナ２３６より受信した内部映像信号と、映像表示装置１１２が複数の外部機器２３２から受信した外部映像信号により構成される。
【００９９】
例えば、映像信号５００が内部映像信号であり、アイコンしての複数の映像信号５０２が外部映像信号である。しかし、映像信号５００が複数の外部映像信号の一つであって、アイコンしての複数の映像信号５０２が内部映像信号と複数の外部映像信号であってもよい。以下では、映像信号５００が内部映像信号であって、アイコンとしての複数の映像信号５０２が外部映像信号である場合について説明する。
【０１００】
まず、図７に示すような、表示画面２３０に表示される映像信号の表示方法について説明する。ユーザが、リモコン１０８より操作信号をＵＩ制御部１５８に送信する。そして、ＵＩ制御部１５８は、映像制御部２４２に上記の操作信号を送信する。ここで言う、操作信号には、図７に示すような、表示画面２３０に表示されている映像信号に関するチャンネル番号についての信号が含まれる。具体的な操作として、例えば、まずユーザがリモコン１０８の電源キー１０３０を押す。次に、ユーザが、リモコン１０８の地上波キー１０１２、ＢＳキー１０１４、ＣＳキー１０４０の何れかを押す。次に、ユーザが、ＢＳテンキー１０４４又は地上波キー１０５０で好みのチャンネル番号を押す。図７に示す例では、「７」のチャンネル番号を押せば、映像信号５００を視聴することができる。例えばこのような操作を通して、ユーザは、ＵＩ制御部１５８に操作信号を送信することができる。
【０１０１】
映像制御部２４２は、ＵＩ制御部１５８から受信した操作信号に基づいて、内部受信チューナ２３６に取得してくるべきチャンネルの映像信号に関する映像情報（以下では、内部映像情報と呼ぶ。）を送信する。ここで言う映像情報には、映像信号のチャンネル番号が含まれる。なお、上記の取得してくるべきチャンネルには、ユーザが視聴したい放送、及びチャンネルが含まれる。次いで、内部受信チューナ２３６は、上記の映像情報に基づいて放送局より映像信号を受信する。そして内部受信チューナは、受信した映像信号（以下では、内部映像信号と呼ぶ。）を表示制御部２３４に送信する。表示画面２３０に内部映像信号が送信されると、表示画面２３０に映像信号が表示される。
【０１０２】
映像信号５００は、内部受信チューナ２３６が放送局から受信した内部映像信号である。一方、映像信号５０２は、複数の外部機器２３２から受信した外部映像信号である。複数の外部機器２３２から外部映像信号を受信して、表示画面２３０に表示する方法について次に説明する。まず、図６を参照しながら上述してきたように、映像制御部２４２が、制御部２４８に映像受信制御情報を送信する。制御部２４８は、映像制御部２４２に使用可能であることを認識させるための情報を送信する。
【０１０３】
そして、制御部２４８が、映像制御部２４２に映像信号の送信は可能であることを認識させるための情報を送信する。そして、制御部２４８が、映像制御部２４２に電源２５８が入力されているという情報を送信する。その後、映像制御部２４２が、上記の外部機器２３２に内部映像情報を送信する。当該内部映像情報は、ＵＩ制御部１５８により映像制御部２４２が、内部受信チューナに送信した内部映像情報である。すなわち、図７で示す、当該内部映像情報は、映像信号５００に関する映像情報である。映像制御部２４２が上記の内部映像情報を制御部２４８に送信することで、制御部２４８は、当該内部映像情報に関する内部映像信号とは異なる映像信号を映像表示装置１１２に送信することができる。ここで言う、当該異なる映像信号には、チャンネルの異なる映像信号が含まれる。制御部２４８を有する外部機器側から、映像表示装置１１２が表示している内部映像に関する内部映像信号とは異なるチャンネルの映像が映像表示装置１１２に送信されることで、映像表示装置１１２は同時に異なる映像をリアルタイムで表示することができる。
【０１０４】
更に、映像表示装置１１２は、上記の外部機器２３２（以下では、一番目の外部機器２３２と呼ぶ。）とは別の二番目の外部機器２３２から外部映像信号を受信する。まず、上記の一番目の外部機器２３２と同様に、映像表示装置１１２が二番目の外部機器から使用可能であることを認識させるための情報、映像信号の送信は可能であることを認識させるための情報、電源２５８が入力されているという情報を受信する。その後外部映像信号受信する方法は、上述してきた一番目の外部機器２３２からの外部映像信号の受信方法と同様である。但し、映像制御部２４２が制御部２４８に送信する情報は、上述のような内部映像情報のみに限定されない。
【０１０５】
映像制御部２４２が制御部２４８に送信する情報には、一番目の外部機器２３２の制御部２４８が映像制御部２４２に送信した外部映像信号（以下、一番目の外部映像信号と呼ぶ。）に関する外部映像情報（以下、一番目の外部映像情報と呼ぶ。）も含まれる。その結果、二番目の外部機器２３２の制御部２４８は、内部映像情報と一番目の外部映像情報を受信する。そして、当該制御部２４８は、上記の内部映像情報と一番目の外部映像情報を参照してから受信チューナ２５４に外部映像信号を受信するように映像情報を送信できる。そのため、当該映像情報に含まれるチャンネルの番号は、上記の内部映像情報と一番目の外部映像情報のそれぞれに含まれるチャンネルの番号とは異なるものとすることができる。そして、映像表示装置１１２は、二番目の外部機器２３２から外部映像信号（以下では、二番目の外部映像信号と呼ぶ。）を受信する。従って、内部映像信号、一番目の外部映像信号、及び二番目の外部映像信号は、全て異なった映像信号となる。
【０１０６】
更に映像表示装置１１２は、三番目の外部機器２３２からも外部映像信号（以下では、三番目の外部映像信号と呼ぶ。）を受信する。上述してきたように、三番目の外部機器２３２の制御部２４８は、内部映像情報、一番目の外部映像情報、及び二番目の外部映像情報を参照してから受信チューナ２５４に外部映像情報を送信することができる。従って、三番目の外部機器２３２の受信チューナ２５４が受信して映像表示装置１１２に送信される三番目の外部映像信号は、内部映像信号、一番目の外部映像信号、及び二番目の外部映像信号とは、異なったものとすることができる。
【０１０７】
すなわち、映像表示装置１１２が、Ｎ個の外部機器２３２から外部映像信号を受信する場合について説明する（Ｎは２以上の整数）。外部機器２３２は、任意のａ番目に外部映像信号を映像表示装置１１２に送信する。当該外部機器２３２は、当該外部映像信号を放送局から受信する際に既に映像表示装置１１２に送信されている（ａ―１）個の外部映像信号に関する外部映像情報を参照することができる（ａはＮ以下の自然数）。また、上記の外部機器２３２は、内部映像情報も参照することができる。従って、ａ番目に外部映像信号を映像表示装置１１２に送信する外部機器２３２は、既に映像表示装置１１２に送信された外部映像信号とは異なった外部映像信号を送信することができる。つまり、映像表示装置１１２が受信するＮ個の外部機器２３２から受信する外部映像信号と、内部映像信号は、それぞれが異なった映像信号となる。
【０１０８】
上述してきたような流れで映像表示装置１１２は複数の外部映像信号を受信するために、図７に示す例のように異なった外部映像信号をリアルタイムで内部映像信号と同時に表示することができる。図７に示す例では、映像表示装置１１２は、外部映像信号をアイコンとして表示している。ここで言うアイコンとは、チャンネル選択用のオブジェクトとして使用されてよい。そのため、例えばユーザはリモコン１０８を操作してカーソル等を移動させることで、アイコンから次に視聴したいチャンネルを選択することができる。その場合、本実施形態のようにチャンネル選択用オブジェクトのアイコンの映像信号が、リアルタイムで内部映像信号と同時に表示されていると、ユーザは現在各チャンネルで表示されている映像信号の詳細を把握してから、チャンネル選択することができる。
【０１０９】
また、図７に示す例では、表示画面２３０全体に表示されている映像信号５００に関するアイコンについては、「視聴中」と表示される。そのため、ユーザは現在視聴している映像信号に関する映像情報を認識しながら、次に視聴する番組を選択することができる。必ずしも現在視聴している映像信号５００に関するアイコンが、「視聴中」と表示されている必要はない。また、アイコンは表示画面上でスクロールされてもよい。
【０１１０】
図８は、表示画面２３０に表示される映像信号の他の例を示す説明図である。図８には、画面全体に表示された映像信号５００、アイコンとしての複数のチャンネルの映像信号５４２、チャンネルの番号５４４、及び番組のタイトル名５４６とが示されている。映像信号５４２には、チャンネル毎の７つの映像信号が示されている。チャンネルの番号５４４には、７つのチャンネル番号が示されている。番組のタイトル名５４６には、チャンネル毎の７つのタイトル名が示されている。
【０１１１】
図８に示す例では図７で示した例と比し、映像信号５４２は表示画面２３０の片隅に寄った位置に存在している。このように、アイコンとしての複数のチャンネルの映像信号５４２が配置される位置は、表示画面２３０上の任意の位置であってよい。当該位置は、嗜好に応じてユーザがリモコン１０８による操作によって決定してもよく、映像表示装置１１２の記憶部２４６に記録されていてもよい。
【０１１２】
図９は、表示画面２３０に表示される映像信号のさらに他の例を示す説明図である。図９には、画面全体に表示された映像信号５００、アイコンとしての複数のチャンネルの映像信号５６２、及びチャンネルの番号５６４が示されている。映像信号５６２には、チャンネル毎の７つの映像信号が示されている。チャンネルの番号５６４には、７つのチャンネル番号が示されている。
【０１１３】
図７、図８を参照しながら説明してきたように、アイコンとしての複数の映像信号は表示画面２３０上の任意の位置に配置されることができる。図９に示す例では、図７、図８で示した例と比し、アイコンとしての複数のチャンネルの映像信号５６２が、表示画面２３０上で占める面積の割合が低い。そのため、映像信号５６２が、映像信号５００を覆い隠す割合も低くなり、ユーザは視聴中の映像信号をゆったり眺めながら次に視聴する番組を選択することができる。
【０１１４】
（画面分割して表示される複数の映像の表示状態）
図１０は、表示画面２３０に表示される映像信号のさらに他の例を示す説明図である。図７、図８、図９で示した例のように外部映像信号は、アイコンとして表示される必要は必ずしもなく、図１０のように表示されてもよい。図１０に示す例では、各チャンネルの映像信号が表示画面２３０上を分割して表示される。例えば、現在市販されているような大型の表示画面では、このように各チャンネルの映像信号が分割表示されても、ユーザはサイズ的にストレスなく各チャンネルの映像信号を視聴することができる。そして、各チャンネルの映像信号が分割表示されていることで、ユーザは複数の映像信号を一度に視聴することができ、複数の情報を取得することができる。
【０１１５】
（複数の映像に放送時間帯が表示された状態）
図１１は、表示画面２３０に表示される映像信号のさらに他の例を示す説明図である。図１１には、画面全体に表示された映像信号５００、アイコンとしての複数のチャンネルの映像信号５２２、及びチャンネルの番号５２４が示されている。さらに図１１には、現在表示されている映像信号５２２に関する番組の放送時間帯５２８が示されている。
【０１１６】
図１１に示す例は、図７、図８、図９で示した例と異なり、各チャンネルの現在表示されている映像信号に関する番組の放送時間帯が表示される。ユーザは、各チャンネルの現在放送されている番組に係る映像信号を視聴しながら、当該番組に係る放送時間帯も把握することができる。そのため、ユーザは例えば、新聞や雑誌などの番組表を調べる必要なく、視聴したい番組に係る放送時間帯を把握することができる。
【０１１７】
（アイコンとしての複数の映像に番組表が付加された表示状態）
図１２は、表示画面２３０に表示される映像信号のさらに他の例を示す説明図である。図１２には、画面全体に表示された映像信号５００、アイコンとしての複数のチャンネルの映像信号５８２、及びチャンネルの番号５８４が示されている。さらに図１２には、現在の時間に近い時間帯の番組表５８６が示されている。映像信号５８２には、チャンネル毎の７つの映像信号が示されている。チャンネルの番号５８４には、７つのチャンネル番号が示されている。番組のタイトル名５８６には、チャンネル毎の７つのタイトル名が示されている。
【０１１８】
図１２に示す例は、図７、図８、図９、図１１で示した例と異なり、現在の時間に近い時間帯のチャンネル毎の番組表５８６が表示される。そのため、ユーザは例えば、新聞や雑誌などの番組表を調べる必要なく、視聴したい番組に係る放送時間帯を把握することができる。また、バー５８８が、現在の時間を指し示してくれるので、ユーザは番組表５８６から現在視聴している番組名を把握することができる。
【０１１９】
図７〜図１２を参照しながら、本実施形態に係る映像表示装置１１２が表示することができる複数の映像信号の表示方法について説明してきた。上述してきた表示状態、もしくは上述してきたもの以外の表示状態のうち、複数の映像信号をどの表示状態で表示させるかについては、例えばユーザが選択することができる。ユーザがリモコン１０８を操作することにより、選択することができる。ユーザがメニューキー１０１０を押して選択することができるように、映像表示装置１１２がいくつかの表示状態をデータベースとして有していても良い。また、ユーザがリモコン１０８を操作することにより、自ら表示状態を作成することができるように設定されていてもよい。また、ユーザが複数の映像信号をどの表示状態で表示させるかを決定することによって、上述してきたように映像表示装置１１２が外部機器２３２から映像信号を受信するように設定されてもよい。
【０１２０】
（外部機器２３２からの映像信号の受信条件設定に関する表示）
図１３は、映像表示装置１１２が外部機器２３２からの映像信号を受信する際の受信条件の設定に関する表示を示している。図１３で示す例では、まず「外部機器２３２からの受信チューナ利用許可」６０２に関する選択項目が示されている。映像表示装置１１２に受信チューナ２５４を利用して映像を受信させる場合には、ユーザは、「する」６０４を選択する。また、映像表示装置１１２に受信チューナ２５４を利用して映像を受信させない場合には、ユーザは、「しない」６０６を選択する。上記の選択については、例えば、ユーザは、リモコン１０８を操作してカーソル６２４を上下左右キー１０６０で移動させ、決定キー１０６２を押すことで実行される。
【０１２１】
また、図１３で示す例では、「受信チューナの利用を許可するときの電池の割合」６１２に関する選択項目６１２が示されている。外部機器２３２が電池で駆動していて、映像表示装置１１２が外部機器２３２から映像信号を受信する場合等に、映像表示装置１１２の表示画面２３０上に「受信チューナの利用を許可するときの電池の割合」６１２を表示することができる。ユーザは、外部機器がＡＣ接続である場合のみ、受信チューナの利用を許可する場合には、「ＡＣ接続時のみ」６１４を選択することができる。また、外部機器の電池の残量が１００％である場合のみ、受信チューナの利用を許可する場合には、ユーザは「１００％」６１６を選択することができる。また、外部機器の電池の残量が７５％以上１００％未満であれば、受信チューナの利用を許可する場合には、ユーザは「７５％以上」６１８を選択することができる。また、外部機器の電池の残量が５０％以上７５％未満であれば、受信チューナの利用を許可する場合には、ユーザは「５０％以上」６２０を選択することができる。また、外部機器の電池の残量が２５％以上５０％未満であれば、受信チューナの利用を許可する場合には、ユーザは「２５％以上」６２２を選択することができる。
［７．まとめ］
最後に、本実施形態の映像表示装置が有する機能構成と、当該機能構成により得られる作用効果について簡単に纏める。
【０１２２】
まず、本実施形態に係る映像表示装置１１２の機能構成は次のように表現することができる。当該映像表示装置１１２は、外部チューナ映像受信部２４４と、内部受信チューナ２３６と、映像制御部２４２と、表示制御部２３４とを有する。
【０１２３】
上記の外部チューナ映像受信部２４４は、映像信号を受信するための受信チューナを有する外部機器から、当該受信チューナにより受信された映像信号（以下では、外部映像信号と呼ぶ。）を受信するものである。このように、外部チューナ映像受信部２４４は、外部機器２３２より映像信号を受信する。当該映像信号は、当該外部機器の受信チューナ２５４が受信してから、外部チューナ映像受信部２４４が受信する。外部機器２３２としては、例えば、デジタルビデオレコーダやデジタルＤＶＤレコーダが挙げられる。
【０１２４】
上記の内部受信チューナ２３６は、映像信号（以下では、内部映像信号と呼ぶ。）を受信するものである。すなわち、本実施形態に係る映像表示装置１１２は、上記の外部映像信号と、上記の内部映像信号とを表示することできる。より具体的には、表示制御部２３４が、外部映像信号と内部映像信号をリアルタイムで同時に表示することができる。そのため、ユーザは、表示したい映像信号の数と同じ数のチューナを映像表示装置１１２が有していなくても、外部機器のチューナを利用することで、複数の映像信号をリアルタイムで同時に表示することができる。複数のチューナを映像表示装置１１２は有する必要がなく、チューナを複数有することによる製造コスト増加を防ぐことができる。そのため、ユーザは、低コストで複数の映像信号をリアルタイムで同時に表示させられる映像表示装置を取得することができる。
【０１２５】
上記のリアルタイムで同時に表示される複数の映像信号は、チャンネル選択用のオブジェクトとして表示されてもよい。上記複数の映像信号は、いわゆるアイコンとして表示されることができる。リアルタイムで同時に表示される複数の映像信号が、チャンネル選択用のオブジェクトとして表示されることで、ユーザは、各チャンネルで放送されている番組内容を確認しながら、視聴したい番組を選択することができる。
【０１２６】
上記の映像制御部２４２は、上記の外部チューナ映像受信部２４４に映像信号を取得させる。また、映像制御部２４２は、外部機器２３２から外部映像信号を受信することが可能か否かを確認する映像受信制御情報を外部機器２３２に送信を行うことができる。そして、映像制御部２４２は、当該送信を行った後に、外部機器２３２から映像信号を受信することが可能であるという情報を受信してから、チャンネル毎の映像信号を受信させることができる。そのため、映像表示装置１１２は、外部映像信号の受信が可能な外部機器から選択的に外部映像信号を受信することができる。映像表示装置１１２が外部機器２３２から映像信号が送信不可能である場合とは、例えば、外部機器２３２の受信チューナ２５４が故障中であるために、外部映像信号を受信することができない場合である。そのため、映像表示装置１１２は、受信する予定であった外部機器２３２の受信チューナ２５４が故障中であった場合に、別の正常に機能する外部機器２３２の受信チューナ２５４から選択的に外部映像信号を受信することができる。
【０１２７】
また、映像制御部２４２は、外部機器２３２に電源２５８が入力されているか否かについての電源情報を外部機器２３２より受信し、外部機器２３２の電源が入力されていないという電源情報を受信する場合がある。その場合には、映像制御部２４２は、外部機器２３２に電源２５８を入力させることができる。そのため、外部機器２３２に電源２５８が入っていない場合であっても、ユーザがわざわざ電源２５８を入力する必要なく電源２５８は入力され、映像表示装置１１２は、外部機器２３２から映像信号を受信することができる。
【０１２８】
更に、映像制御部２４２は、映像表示装置１１２と外部機器２３２との送受信する速度が低くなるに従い、外部チューナ映像受信部２４４により受信する映像信号のフレーム数を減少させることができる。そのため、映像表示装置１１２は、外部機器２３２からの受信速度が通常の速度よりも遅い場合であっても、受信するフレーム数を減らしてリアルタイムで映像信号を表示することができる。また、ここで通常の速度とは、映像表示装置１１２が、外部機器２３２から外部映像信号を受信して、リアルタイムで当該外部映像信号の全フレームを表示することができる速度をさす。通常の速度よりも遅い速度では、映像表示装置１１２は、外部機器２３２から外部映像信号を受信して、リアルタイムで表示することができない。
【０１２９】
さらに、本実施形態の映像表示装置システムが有する機能構成と、当該機能構成による得られる作用効果について簡単に纏める。
【０１３０】
まず、本実施形態に係る映像表示装置システムの機能構成は次のように表現することができる。当該映像表示装置システムは、映像表示装置と、外部機器とを有する。
【０１３１】
当該映像表示装置１１２は、外部チューナ映像受信部２４４と、内部受信チューナ２３６と、映像制御部２４２と、表示制御部２３４とを有する。また、上記の外部機器２３２は、制御部２４８と、映像送信部２５６とを有する。
【０１３２】
また、上記の制御部２４８は、上記の映像制御部２４２から映像信号に関する映像情報を受信する。また、制御部２４８は、上記のように受信した場合に、上記の内部受信チューナ２３６が受信したチャンネルの内部映像信号とは異なるチャンネルの外部映像信号を映像送信部２５６が外部チューナ映像受信部に送信する。そのため、映像表示装置１１２は、異なる映像信号をリアルタイムで同時に表示することができる。
【０１３３】
また、映像表示装置１１２は、少なくとも第一の外部機器２３２と第二の外部機器２３２を含む複数の外部機器２３２から映像信号を受信することが可能である。その場合、上記の第一の外部機器２３２の映像送信部２５６が送信する外部映像信号と、上記の第二の外部機器２３２が送信する外部映像信号は異なっていることが望ましい。そのため、映像表示装置１１２は、内部映像信号を含め、複数の異なる映像信号をリアルタイムで同時に表示することができる。その結果、ユーザは、複数の異なる映像信号をリアルタイムで同時に視聴することができる。また、複数の異なる映像信号がアイコンとして表示されている場合には、ユーザは、次に視聴したい番組の現在放送されている内容を確認しながら選択することができる。
【０１３４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【０１３５】
【図１】本発明の実施形態に係る技術を適用可能な電子機器システムの構成例を示す説明図である。
【図２】同実施形態に係る技術を適用可能な電子機器システムの一部であるリモートコントローラの一例を示す説明図である。
【図３】同実施形態に係る映像表示装置のハードウェア構成例を示す図である。
【図４】同実施形態に係る映像表示装置の機能構成を示す説明図である。
【図５】同実施形態に係る映像表示装置で複数の映像がリアルタイムで表示されるフローを示す説明図である。
【図６】同実施形態に係る映像表示装置で複数の映像がリアルタイムで表示されるフローを示す説明図である。
【図７】同実施形態に係る映像表示装置で複数の映像がリアルタイムで表示される状態を示す説明図である。
【図８】同実施形態に係る映像表示装置で複数の映像がリアルタイムで表示される状態を示す説明図である。
【図９】同実施形態に係る映像表示装置で複数の映像がリアルタイムで表示される状態を示す説明図である。
【図１０】同実施形態に係る映像表示装置で複数の映像がリアルタイムで表示される状態を示す説明図である。
【図１１】同実施形態に係る映像表示装置で複数の映像がリアルタイムで表示される状態を示す説明図である。
【図１２】同実施形態に係る映像表示装置で複数の映像がリアルタイムで表示される状態を示す説明図である。
【図１３】同実施形態に係る映像表示装置に外部機器からの映像信号の受信可否の状態を示す説明図である。
【符号の説明】
【０１３６】
１１２    映像表示装置
１５８    ＵＩ制御部
２３０    表示画面
２３２    外部機器
２３４    表示制御部
２３６    内部受信チューナ
２３８    映像情報記録部
２４２    映像制御部
２４４    外部チューナ映像受信部
２４６    記憶部
２４８    制御部
２５０    電源情報管理部
２５２    外部映像信号記録部
２５４    受信チューナ
２５６    映像送信部
２５８    電源
２６０    外部映像信号記憶部
【図１】
2010130219.tif 000003
【図２】
2010130219.tif 000004
【図３】
2010130219.tif 000005
【図４】
2010130219.tif 000006
【図５】
2010130219.tif 000007
【図６】
2010130219.tif 000008
【図７】
2010130219.tif 000009
【図８】
2010130219.tif 000010
【図９】
2010130219.tif 000011
【図１０】
2010130219.tif 000012
【図１１】
2010130219.tif 000013
【図１２】
2010130219.tif 000014
【図１３】
2010130219.tif 000015